(57)【要約】【課題】電柱に取り付けられている柱上変圧器やアームなどの取付位置をずらすことなく、引込線を増設する際の引込分岐端子箱の増設スペースを容易に確保できると共に、増設する際の配電作業を簡単且つ短時間に行えるようにする。【解決手段】電柱Ａに配される高圧送電線２から複数の需要家に電力供給できるよう、高圧送電線２から柱上変圧器６を経て配電される電源側電線５としての低圧送電線に、各需要家に引き込まれる負荷側電線１２としての引込線を分岐接続するための引込分岐端子箱２０において、電源側電線５、負荷側電線１２及び該負荷側電線１２を増設する際に電源側電線５からわたり電源を供給するために接続されるわたり線５ａが接続される第一接続端子２４と、負荷側電線１２が接続される第二接続端子２５とをそれぞれ複数備える。【選択図】図１
2008263720.tif 000002
【特許請求の範囲】
【請求項１】
電柱（Ａ）に配される高圧送電線（２）から複数の需要家に電力供給できるよう、該高圧送電線（２）から柱上変圧器（６）を経て配電される電源側電線（５）としての低圧送電線に、各需要家に引き込まれる負荷側電線（１２）としての引込線を分岐接続するための引込分岐端子箱において、電源側電線（５）、負荷側電線（１２）及び該負荷側電線（１２）を増設する際に電源側電線（５）からわたり電源を供給するために接続されるわたり線（５ａ）が接続される第一接続端子（２４）と、負荷側電線（１２）が接続される第二接続端子（２５）とをそれぞれ複数備えたことを特徴とする引込分岐端子箱。
【請求項２】
前記第一接続端子（２４）は、増設される電源側電線（５）、負荷側電線（１２）及びわたり電線（５ａ）の線数に応じて設けられることを特徴とする請求項１に記載の引込分岐端子箱。
【請求項３】
前記第一接続端子（２４）のうち、一つが一端部に配設されると共に、残りが他端部に並設され、前記各第二接続端子（２５）は、一端部の第一接続端子（２４）と他端部の第一接続端子（２４）の間に並設されることを特徴とする請求項２に記載の引込分岐端子箱。
【請求項４】
請求項１乃至３のいずれかに記載の引込分岐端子箱（２０）が上下方向又は水平方向に連結できるよう構成されることを特徴とする引込分岐端子箱の連結部材。
【請求項５】
前記連結部材（３０）は、水平方向に配される角筒状の腕金（１５）の縦寸法よりも大きい長辺を有する直方体形状の引込分岐端子箱（２０）を、縦長の状態で上下に配置して連結する連結部材であって、腕金（１５）が挿通可能な挿通口を形成するよう、引込分岐端子箱（２０）の長辺よりもやや大きい長さを有する一対の支持部（３１）が、腕金（１５）の前面及び後面にそれぞれ当接すると共に、両支持部（３１）の間に固着される連結部（３５）が腕金（１５）の下面に当接する一方、両支持部（３１）の上端部に跨って着脱可能に取り付けられる上取付部（３６）が腕金（１５）の上面に当接し、さらに、該上取付部（３６）の下面に引込分岐端子箱（２０）の上面を着脱可能に取り付けできるよう、上取付部（３６）の前端部又は後端部の少なくともいずれか一方から延出する延出部（３６ａ、３６ｂ）が形成され、さらに、両支持部（３１）の下端部に跨って下取付部（３８）が取り付けられる一方、該下取付部（３８）の下面に引込分岐端子箱（２０）の上面を着脱可能に取り付けできるよう、該下取付部（３８）の前端部又は後端部の少なくともいずれか一方から延出する延出部（３８ａ、３８ｂ）が形成されることを特徴とする請求項４に記載の連結部材。
【請求項６】
電柱（Ａ）に配電される電源側電線（５）としての低圧送電線に分岐接続される負荷側電線（１２）としての引込線を増設する場合の配電方法であって、電源側電線（５）、負荷側電線（１２）及び該負荷側電線（１２）を増設する際に電源側電線（５）からわたり電源を供給するために接続されるわたり線（５ａ）が接続される三つの第一接続端子（２４）のうち一つが上端部に設けられると共に、二つが下端部に並設され、さらに、上端部の第一接続端子（２４）と下端部における上側の第一接続端子（２４）との間に、負荷側電線（１２）が接続される複数の第二接続端子（２５）が三つ並設される引込分岐端子箱（２０）を、連結部材（３０）によって縦列及び横列に配置した状態で腕金（１５）に連結固定し、上側の各引込分岐端子箱（２０）において、下端部における上側の第一接続端子（２４）に電源側電線（５）を接続すると共に、上端部の第一接続端子（２４）及び各第二接続端子（２５）にそれぞれ負荷側電線（１２）を接続し、下端部における下側の第一接続端子（２４）と、下側の各引込分岐端子箱（２０）における上端部の第一接続端子（２４）とにわたり線（５ａ）を接続すると共に、下側の引込分岐端子箱（２０）の各第二接続端子（２５）及び下端部における上側の第一接続端子（２４）にそれぞれ負荷側電線（１２）を接続し、下端部における下側の第一接続端子（２４）を空けておくようにしたことを特徴とする配電方法。
【発明の詳細な説明】
【技術分野】
【０００１】
本発明は、高圧送電線から各需要家に電力供給できるよう、高圧送電線から柱上変圧器を経て配電される電源側電線としての低圧送電線に、各需要家に引き込まれる負荷側電線としての引込線を分岐接続するための引込分岐端子箱及びその連結部材並びに配電方法に関する。
【背景技術】
【０００２】
従来のこの種の引込分岐端子箱を説明するにあたって、まず電柱の構成について説明する。該電柱Ａは、例えば図５に示すように、その上端部に水平支持された、３相の高圧送電線２を支持するための第一アーム１と、該第一アーム１の下方に配電された電源側電線５としての低圧送電線と、該電源側電線５の下方に固設された柱上変圧器６と、該柱上変圧器６の真下に取り付けられた第二アーム１０と、該第二アーム１０に対して直交するよう取り付けられた引込用腕金１５とを備えているのが一般的である。
【０００３】
第一アーム１は、その上面に複数の碍子３が配設され、該各碍子３によって高圧送電線２が絶縁支持されている。
【０００４】
第二アーム１０は、平面視Ｔ字形状を呈しており、第一アーム１に対して平行する主支持部１０ａと、該主支持部１０ａに対して直交方向に支持された補助支持部１０ｂとを有し、該補助支持部１０ｂに、第一アーム１と同様に３つの碍子１１が配設されている。
【０００５】
そして、高圧送電線２からＴ分岐された分岐線２ａが補助支持部１０ｂの各碍子１１に絶縁支持されて柱上変圧器６の一次側に接続されている。また柱上変圧器６の二次側から電源側電線（３相４線式の低圧送電線）５が配電されている。
【０００６】
引込用腕金１５は、電源側電線５から負荷側電線１２としての引込線を分岐接続するための引込分岐端子箱５０が需要家の戸数に応じて配設されている。例えば、３相４線式（動力を含む）で、４戸の需要家に配電するとした場合、合計四つの引込分岐端子箱５０が図５に示すように配設されている。即ち、二本の負荷側電線１２が接続される引込分岐端子箱５０が腕金１５の前面に三つ、中性線である負荷側電線１２が接続される引込分岐端子箱５０が腕金１５の後面に一つ配設されている。なお、電源側電線５から各引込分岐端子箱５０に配電した場合の配電図を図６の実線枠内に示す。
【０００７】
この引込分岐端子箱５０は、図７に示すように、正面に開口部を有する略直方体形状の箱体５１と、該正面開口部を閉塞する蓋板５２と、箱体５１に内装された角柱状の導体５３と、該導体５３に螺合する第一接続端子５４及び第二接続端子５５とから構成されている。そして、第一接続端子５４は、電源側電線５が接続されるよう第二接続端子５５よりも大径で、箱体５１の下端部に配置されている一方、第二接続端子５５は、負荷側電線１２が接続されるよう第一接続端子５４よりも小径で、第一接続端子５４の隣から箱体５１の上端部に向かって順に配置されている。
【０００８】
また他の従来の引込分岐端子箱としては、電柱に取り付けられる箱体と、該箱体内に並設された上下一対の接続端子とを備えたものが公知になっている。そして、下側の接続端子に電源側電線が接続されると共に、上側の接続端子にヒューズを介して負荷側電線が接続される。
【特許文献１】特許第３０２５８８４号公報
【発明の開示】
【発明が解決しようとする課題】
【０００９】
しかしながら、上記図７に示す引込分岐端子箱５０の場合、負荷側電線１２が接続される第二接続端子５５の個数、即ち最大４戸の需要家に電力供給することができないため、５戸以上の需要家へ電力供給する場合には、引込用腕金１５を新たに電柱Ａに取り付ける必要がある。この際、電柱Ａにおいて引込用腕金１５を新たに取り付けるスペースがない場合は、柱上変圧器６や第二アーム１０の取付位置をずらしてスペースを確保しなければならず、引込分岐端子箱５０に対する配線作業に多大の時間と労力を要するという問題がある。
【００１０】
また上記公報の引込分岐端子箱の場合、箱体を電柱に取り付けるスペースを確保する必要があり、箱体を増設する場合には、箱体の製作費用がかかり、その分コストが高くつく。しかも増設によって柱上変圧器やアームなどの取付位置をずらす場合もあれば、箱体内部において端子台を増設する場合は、その都度大きさの異なる箱体を製作する場合もあると考えられる。
【００１１】
そこで、本発明は、上記問題点を鑑み、電柱に取り付けられている柱上変圧器やアームなどの取付位置をずらすことなく、負荷側電線を増設する際の引込分岐端子箱の増設スペースを容易に確保できると共に、増設する際の配電作業を簡単且つ短時間に行える引込分岐端子箱及びその連結部材並びに配電方法を提供することを目的とする。
【課題を解決するための手段】
【００１２】
前記課題を解決するために、本発明に係る引込分岐端子箱は、電柱Ａに配される高圧送電線２から複数の需要家に電力供給できるよう、該高圧送電線２から柱上変圧器６を経て配電される電源側電線５としての低圧送電線に、各需要家に引き込まれる負荷側電線１２としての引込線を分岐接続するための引込分岐端子箱において、電源側電線５、負荷側電線１２及び該負荷側電線１２を増設する際に電源側電線５からわたり電源を供給するために接続されるわたり線５ａが接続される第一接続端子２４と、負荷側電線１２が接続される第二接続端子２５とをそれぞれ複数備えたことを特徴とする。
【００１３】
この場合、増設する側の各引込分岐端子箱に対して、柱上変圧器６から電源側電線５を接続するのではなく、わたり線５ａによって配電するようにしたので、増設に係る配線作業が簡単且つ短時間に行えるようになる。
【００１４】
また本発明によれば、前記第一接続端子２４を、増設される電源側電線５、負荷側電線１２及びわたり電線５ａの線数に応じて設けるような構成を採用することもできる。
【００１５】
この場合、増設に際して容易に対応できる。
【００１６】
また本発明によれば、前記第一接続端子２４のうち、一つを一端部に配設すると共に、残りを他端部に並設し、前記各第二接続端子２５を、一端部の第一接続端子２４と他端部の第一接続端子２４の間に並設するような構成を採用することもできる。
【００１７】
この場合、第一接続端子２４が両端部に配置されるようになるため、引込分岐端子箱２０のいずれか一方の端部からわたり線５ａを引き出すことができるようになる。つまり、引込分岐端子箱を、その端部を突き合わせるように直列して配置すれば最短距離でわたり電源を供給できるようになる。
【００１８】
また本発明に係る引込分岐端子箱の連結部材は、上記いずれかの引込分岐端子箱２０を上下方向又は水平方向に連結できるよう構成されることを特徴とする。
【００１９】
この場合、電柱Ａに装着されている柱上変圧器や開閉器などの機材の設置状況や電柱Ａの設置環境に応じて各引込分岐端子箱２０を連結するレイアウトを変更できる。例えば引込分岐端子箱２０を上下方向又は水平方向にした状態で、各引込分岐端子箱２０を上下方向に連結してもよく、各引込分岐端子箱２０を上下方向にした状態で、各引込分岐端子箱２０を並列に連結してもよく、引込分岐端子箱２０を水平方向にした状態で、各引込分岐端子箱２０を直列又は並列に連結してもよい。
【００２０】
また本発明によれば、前記連結部材３０は、水平方向に配される角筒状の腕金１５の縦寸法よりも大きい長辺を有する直方体形状の引込分岐端子箱２０を、縦長の状態で上下に配置して連結する連結部材であって、腕金１５が挿通可能な挿通口を形成するよう、引込分岐端子箱２０の長辺よりもやや大きい長さを有する一対の支持部３１が、腕金１５の前面及び後面にそれぞれ当接すると共に、両支持部３１の間に固着される連結部３５が腕金１５の下面に当接する一方、両支持部３１の上端部に跨って着脱可能に取り付けられる上取付部３６が腕金１５の上面に当接し、さらに、該上取付部３６の下面に引込分岐端子箱２０の上面を着脱可能に取り付けできるよう、上取付部３６の前端部又は後端部の少なくともいずれか一方から延出する延出部３６ａ、３６ｂが形成され、さらに、両支持部３１の下端部に跨って下取付部３８が取り付けられる一方、該下取付部３８の下面に引込分岐端子箱２０の上面を着脱可能に取り付けできるよう、該下取付部３８の前端部又は後端部の少なくともいずれか一方から延出する延出部３８ａ、３８ｂが形成されるような構成を採用することもできる。
【００２１】
この場合、腕金１５の側面に両支持部３１が当接すると共に、腕金１５の下面に連結部３５が当接し、この状態で両支持部３１の上端部に上取付部３６を取り付けるようにしているので、腕金１５に対して連結部材３０を確実に位置固定できる。また増設の際は、両支持部３１の下端部に下取付部３８を取り付けるだけでよく、引込分岐端子箱２０を上下に容易に配置できるようになる。さらに、上取付部３６及び下取付部３８の前端部又は後端部の少なくとも一方は、引込分岐端子箱２０を取り付けできるように延出部３６ａ、３６ｂ、３８ａ、３８ｂが形成されているので、引込分岐端子箱２０を前後左右に自由に配置できる。
【００２２】
また本発明に係る配電方法は、電柱Ａに配電される電源側電線５としての低圧送電線に分岐接続される負荷側電線１２としての引込線を増設する場合の配電方法であって、電源側電線５、負荷側電線１２及び該負荷側電線１２を増設する際に電源側電線５からわたり電源を供給するために接続されるわたり線５ａが接続される三つの第一接続端子２４のうち一つが上端部に設けられると共に、二つが下端部に並設され、さらに、上端部の第一接続端子２４と下端部における上側の第一接続端子２４との間に、負荷側電線１２が接続される複数の第二接続端子２５が三つ並設される引込分岐端子箱２０を、連結部材３０によって縦列及び横列に配置した状態で腕金１５に連結固定し、上側の各引込分岐端子箱２０において、下端部における上側の第一接続端子２４に電源側電線５を接続すると共に、上端部の第一接続端子２４及び各第二接続端子２５にそれぞれ負荷側電線１２を接続し、下端部における下側の第一接続端子２４と、下側の各引込分岐端子箱２０における上端部の第一接続端子２４とにわたり線５ａを接続すると共に、下側の引込分岐端子箱２０の各第二接続端子２５及び下端部における上側の第一接続端子２４にそれぞれ負荷側電線１２を接続し、下端部における下側の第一接続端子２４を空けておくようにしたことを特徴とする。
【００２３】
この場合、上下に配置した各引込分岐端子箱２０の第一接続端子２４をわたり線５ａで接続するようにしたので、電柱Ａを中心にして区分けされる腕金１５のいずれか一方の側部において、負荷側電線１２の通常の配電作業から増設による配電作業までが完結できるようになる。即ち、増設に際して腕金１５を新たに設けることなく、また柱上変圧器６や開閉器などの取付位置をずらすことなく、簡単且つ短時間にしかも安価に配電作業が行えるようになる。さらに、一つの第一接続端子２４を空き状態にしているので、この第一接続端子２４にわたり線５ａを接続するだけで容易に増設に対応できる。
【発明の効果】
【００２４】
以上のように、本発明によれば、増設する際の引込分岐端子箱における配電作業において電源側電線からのわたり電源をわたり線によって供給できるようにしたので、配電作業の効率化を図ることができる効果がある。
【発明を実施するための最良の形態】
【００２５】
以下、本発明の一実施形態に係る引込分岐端子箱及びその連結部材並びに配電方法について図１〜図５を参照しつつ説明する。
【００２６】
引込分岐端子箱２０は、図７に示す従来の引込分岐端子箱５０と同様に、正面に開口部を有する略直方体形状の箱体２１と、該正面開口部を閉塞する蓋板２２と、箱体２１に内装された角柱状の導体２３と、該導体２３に螺合する第一接続端子２４及び第二接続端子２５とから構成され、引込分岐端子箱２０の縦の長さは、水平方向に配される角筒状の引込用腕金（以下、単に腕金という）１５の側面の高さ寸法よりも長くなっている。そして異なる点は、図１に示すように、電源側電線５、負荷側電線１２及び該負荷側電線１２を増設する際に電源側電線５からわたり電源を供給するために接続されるわたり線５ａがそれぞれ接続される第一接続端子２４と、負荷側電線１２が接続される第二接続端子２５とをそれぞれ複数備えており、二つの第一接続端子２４が一端部（下端部）に並設されると共に、一つの第一接続端子２４が他端部（上端部）に設けられ、下端部における上側の第一接続端子２４と上端部の第一接続端子２４との間に三つの第二接続端子２５が並設されている。また、引込分岐端子箱２０は後述する連結部材３０によって上下方向に配置される。
【００２７】
連結部材３０は、引込分岐端子箱２０の長辺よりもやや大きい長さを有する一対の支持部３１と、該両支持部３１の対向面にその両端部が一体に固着された連結部３５と、両支持部３１の上端部に跨って着脱可能に取り付けられる上取付部３６と、両支持部３１の下端部に跨って取り付けられる下取付部３８とで構成されている。そして、両支持部３１、連結部３５、上取付部３６によって、腕金１５が挿通可能な角環状の挿通口が形成される。
【００２８】
支持部３１は、引込分岐端子箱２０の長辺よりもやや大きい長さを有する円柱からなり、その上端部及び下端部にそれぞれ雄ねじ３２が形成されており、上取付部３６及び下取付部３８を固定するためのナットＮが螺合するようになっている。そして、腕金１５の前面及び後面に上下方向に沿って当接する。
【００２９】
上取付部３６は、平板からなり、その両端部に上記支持部３１の雄ねじ３２が貫通する貫通孔３７が形成されている。また上取付部３６の下面に引込分岐端子箱２０の上面を着脱可能に取り付けできるよう、上取付部３６の前端部から前方に延出して形成された前延出部３６ａと、後端部から後方に延出して形成された後延出部３６ｂとを備えている。
【００３０】
下取付部３８は、上取付部３６と同様に平板からなり、両端部に支持部３１の下側の雄ねじ３２が貫通する貫通孔３９が形成されている。そして、下取付部３８の下面に引込分岐端子箱２０の上面を着脱可能に取り付けできるよう、該下取付部３８の前端部から前方に延出して形成された前延出部３８ａと、後端部から後方に延出して後延出部３８ｂとを備えている。
【００３１】
つぎに配電方法につき、まず既定数の需要家に対する配電方法について図２〜図４を参照して説明する。即ち、図４の実線枠内に示す１つのブロック（１〜４戸）の需要家に負荷側電線１２を引き込む場合において、始めに連結部材３０の上取付部３６を両支持部３１の上端部から取り外した状態で、腕金１５の下方からＵ字形状の連結部材３０を挿入し、両支持部３１の内面を腕金１５の前後の側面にそれぞれ当接させると共に、連結部３５の上面を腕金１５の下面に当接させる。
【００３２】
そして、上取付部３６の貫通孔３７に両支持部３１の上側の雄ねじ３２を貫通させて、上取付部３６の下面を腕金１５の上面に当接させて、雄ねじ３２にナットＮを螺合させて、上取付部３６を両支持部３１の上側の両端部に取り付けて、腕金１５に連結部材３０を装着する。この場合、図示していないが腕金１５の一側に二つの連結部材３０を並設する。
【００３３】
つぎに、３つの引込分岐端子箱２０を縦長の状態、即ち並設された二つの第一接続端子２４が下端部に位置すると共に、一つの第一接続端子２４が上端部に位置した状態で、二つの引込分岐端子箱２０の上面を各上取付部３６の前延出部３６ａの下面に取り付けると共に、残り一つの引込分岐端子箱２０の上面をいずれか一方の上取付部３６の後延出部３６ｂの下面に取り付ける。
【００３４】
そして、下端部における下側の第一接続端子２４を増設するための予備として１つ空けておき、下端部における上側の第一接続端子２４に電源側電線５を接続すると共に、上端部の第一接続端子２４及び各第二接続端子２５にそれぞれ４本の負荷側電線１２を接続する。
【００３５】
つぎに上述したように配電された状態からさらに図４の鎖線枠内に示す１つのブロック、即ち５〜８戸の需要家に負荷側電線１２を増設する場合について説明する。まず下取付部３８の貫通孔３９に両支持部３１の下側の雄ねじ３２を貫通させて、雄ねじ３２にナットＮを螺合させて、下取付部３８を両支持部３１の下側の両端部に取り付ける。そして、既設の各引込分岐端子箱２０の下方に、増設される各引込分岐端子箱２０を、縦列の状態で連結部材３０の下取付部３８の前延出部３８ａの下面に取り付け、予備として空けておいた上側の引込分岐端子箱２０の第一接続端子２４と、該第一接続端子２４に最短距離に位置する、即ち真下に位置する下側の引込分岐端子箱２０の第一接続端子２４とにわたり線５ａを接続する。
【００３６】
そして、下側の各引込分岐端子箱２０の残りの第一接続端子２４及び複数の第二接続端子２５にそれぞれ増設する負荷側電線１２を接続する一方、増設するための予備として第一接続端子２４を１つ空けておく。
【００３７】
なお本発明は、上記いずれの実施形態に限定されるものではなく、本発明の要旨を逸脱しない範囲で種々の変更が可能である。
【００３８】
例えば、前記実施形態においては、既定数の需要家（１〜４戸）に配電された後、増設する場合を例にとって説明したが、初期の配電時において需要家が多い場合も同様に、配電作業するものとする。
【００３９】
また前記実施形態の場合、引込分岐端子箱２０を上下に並設（縦列）するようにしたが、左右に並設（横列）するようにしてもよい。また、連結部材３０は図示に限定されるものではなく、角筒状の腕金１５に装着可能で、引込分岐端子箱２０を上下及び／又は前後に並設できるようなものであればよい。例えばＬ字形状、Ｕ字形状、これらを組み合わせた連結部材であってもよい。
【００４０】
また上記実施形態の場合、電源側電線５において３相４線式配電線を例にとって説明したが、単相又は３相３線式配電線であってもよい。
【００４１】
また上記実施形態の場合、引込分岐端子箱２０に接続される電源側電線５として、架橋ポリエチレン絶縁ケーブル（ＣＶケーブル）を例にとって説明したが、市街地などで、装柱が複雑で作業する空間の確保が困難な場所、又は美観を考慮しなければならない場所に使用される屋外用アルミ導体ポリエチレン電線（ＭＯＥ電線）にも適用できるのは言うまでもない。
【００４２】
また上記実施形態の場合、電源側電線５として、低圧配電線から配電するようにしたが、柱上変圧器６の二次側から配電される電線を直接接続するようにしてもよい。
【図面の簡単な説明】
【００４３】
【図１】本発明の一実施形態に係る引込分岐端子箱を示す正面図。
【図２】図１の引込分岐端子箱を上下に並設し、配線した状態の正面図。
【図３】図２の側面図。
【図４】図１の引込分岐端子箱を上下に並設して配線した概略配電図。
【図５】３相４線式の高圧送電線が配された電柱の構成を示す概略図。
【図６】従来例の引込分岐端子箱を並設して配線した概略配電図。
【図７】従来例の引込分岐端子箱を示す正面図。
【符号の説明】
【００４４】
１…第一アーム、２…高圧送電線、３…碍子、５…電源側電線（低圧送電線）、５ａ…わたり線、６…柱上変圧器、１０…第二アーム、１０ａ…主支持部、１０ｂ…補助支持部、１１…碍子、１２…負荷側電線（引込線）、１２…負荷側電線、１５…引込用腕金、２０…引込分岐端子箱、２１…箱体、２２…蓋板、２３…導体、２４…第一接続端子、２５…第二接続端子、３０…連結部材、３１…支持部、３２…雄ねじ、３５…連結部、３６…上取付部、３６ａ…前延出部、３６ｂ…後延出部、３７…貫通孔、３８…下取付部、３８ａ…前延出部、３８ｂ…後延出部、３９…貫通孔、Ａ …電柱、Ｎ…ナット、
【図１】
2008263720.tif 000003
【図２】
2008263720.tif 000004
【図３】
2008263720.tif 000005
【図４】
2008263720.tif 000006
【図５】
2008263720.tif 000007
【図６】
2008263720.tif 000008
【図７】
2008263720.tif 000009